【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
車両（Ａ）において用いられ、前記車両の乗員に視認される虚像（Ｖｉ）の表示を制御する表示制御装置であって、
前記車両の走行経路（ＤＲ）を前記乗員に案内する案内表示物（１１）を生成する表示生成部（７３）と、
前記案内表示物による経路案内が生じる案内ポイント（ＧＰ）までの残距離（Ｌｒ）を把握する距離把握部（５１）と、
前記車両から前記案内ポイントまでの前記残距離が切替距離（Ｌ２）よりも長い場合に、特定の重畳対象には重畳されない非重畳虚像（１２）を前記案内表示物として表示させ、前記案内ポイントまでの前記残距離が前記切替距離よりも短くなると、特定の重畳対象に重畳される重畳虚像（１４）を表示させる表示制御部（５３）と、
前記重畳虚像の表示を許容する表示許可範囲（ＵＡ）を、前記虚像を表示可能な表示可能領域（ＰＡ）の一部に制限する領域制限部（５２）と、を備え、
前記領域制限部は、前記案内ポイントまでの前記残距離が短いほど前記表示許可範囲を大きく規定する表示制御装置。
【請求項２】
前記領域制限部は、前記表示可能領域の下側に前記表示許可範囲を規定し、前記表示許可範囲を上方に拡大させる請求項１に記載の表示制御装置。
【請求項３】
車両（Ａ）において用いられ、前記車両の乗員に視認される虚像（Ｖｉ）の表示を制御する表示制御装置であって、
前記車両の走行経路（ＤＲ）を前記乗員に案内する案内表示物（１１）を生成する表示生成部（７３）と、
前記案内表示物による経路案内が生じる案内ポイント（ＧＰ）までの残距離（Ｌｒ）を把握する距離把握部（５１）と、
前記車両から前記案内ポイントまでの前記残距離が切替距離（Ｌ２）よりも長い場合に、特定の重畳対象には重畳されない非重畳虚像（１２）を前記案内表示物として表示させ、前記案内ポイントまでの前記残距離が前記切替距離よりも短くなると、特定の重畳対象に重畳される重畳虚像（１４）を表示させる表示制御部（５３）と、
前記重畳虚像の表示を許容する表示許可範囲（ＵＡ）を、前記虚像を表示可能な表示可能領域（ＰＡ）の一部に制限する領域制限部（５２）と、を備え、
前記領域制限部は、前記表示可能領域の下側に前記表示許可範囲を規定し、前記表示許可範囲を上方に拡大させる表示制御装置。
【請求項４】
前記領域制限部は、前記車両の前方についての認識情報に基づき、前記表示許可範囲を変更する請求項１〜３のいずれか一項に記載の表示制御装置。
【請求項５】
前記表示制御部は、前記案内ポイントまでの前記残距離に基づき、前記重畳虚像の態様を変更する請求項１〜４のいずれか一項に記載の表示制御装置。
【請求項６】
前記表示制御部は、前記走行経路に沿って前記切替距離よりも前記案内ポイントの近くに規定されたアプローチ区間（ＡＳ）にて、前記重畳虚像としてレーン通知虚像（１５）を表示させ、
前記レーン通知虚像は、前記車両の前方路面に重畳される所定形状の路面画像（１５ａ）と、前記路面画像に対する左右の相対位置により前記案内ポイントまでに前記車両を移動させる左右の方向を示す方向通知画像（１５ｂ）と、を含む請求項５に記載の表示制御装置。
【請求項７】
前記表示制御部は、前記走行経路に沿って前記アプローチ区間よりも前記案内ポイントの近くに規定された進入区間（ＥＳ）にて、前記前方路面に重畳される減速通知虚像（１６）を前記重畳虚像として表示させ、
前記減速通知虚像は、前記車両の走行速度に基づき、当該走行速度の高さを注意喚起する態様に変更される請求項６に記載の表示制御装置。
【請求項８】
前記表示制御部は、前記車両が前記進入区間よりも前記案内ポイントに接近した場合に、前記重畳虚像として経路通知虚像（１７）を表示させ、
前記経路通知虚像は、前記案内ポイントを含む前記前方路面に重畳され、前記案内ポイントからの退出方位を示す請求項７に記載の表示制御装置。
【請求項９】
前記表示制御部は、前記走行経路となる道路の走行環境情報に基づき、前記重畳虚像の態様を変更する前記残距離を調整する請求項５〜８のいずれか一項に記載の表示制御装置。
【請求項１０】
車両（Ａ）において用いられ、前記車両の乗員に視認される虚像（Ｖｉ）の表示を制御する表示制御プログラムであって、
少なくとも一つの処理部（６１）を、
前記車両の走行経路（ＤＲ）を前記乗員に案内する案内表示物（１１）を生成する表示生成部（７３）、
前記案内表示物による経路案内が生じる案内ポイント（ＧＰ）までの残距離（Ｌｒ）を把握する距離把握部（５１）、
前記車両から前記案内ポイントまでの前記残距離が切替距離（Ｌ２）よりも長い場合に、特定の重畳対象には重畳されない非重畳虚像（１２）を前記案内表示物として表示させ、前記案内ポイントまでの前記残距離が前記切替距離よりも短くなると、特定の重畳対象に重畳される重畳虚像（１４）を表示させる表示制御部（５３）、
前記重畳虚像の表示を許容する表示許可範囲（ＵＡ）を、前記虚像を表示可能な表示可能領域（ＰＡ）の一部に制限する領域制限部（５２）、として機能させ、
前記領域制限部は、前記案内ポイントまでの前記残距離が短いほど前記表示許可範囲を大きく規定する表示制御プログラム。
【請求項１１】
車両（Ａ）において用いられ、前記車両の乗員に視認される虚像（Ｖｉ）の表示を制御する表示制御プログラムであって、
少なくとも一つの処理部（６１）を、
前記車両の走行経路（ＤＲ）を前記乗員に案内する案内表示物（１１）を生成する表示生成部（７３）、
前記案内表示物による経路案内が生じる案内ポイント（ＧＰ）までの残距離（Ｌｒ）を把握する距離把握部（５１）、
前記車両から前記案内ポイントまでの前記残距離が切替距離（Ｌ２）よりも長い場合に、特定の重畳対象には重畳されない非重畳虚像（１２）を前記案内表示物として表示させ、前記案内ポイントまでの前記残距離が前記切替距離よりも短くなると、特定の重畳対象に重畳される重畳虚像（１４）を表示させる表示制御部（５３）、
前記重畳虚像の表示を許容する表示許可範囲（ＵＡ）を、前記虚像を表示可能な表示可能領域（ＰＡ）の一部に制限する領域制限部（５２）、として機能させ、
前記領域制限部は、前記表示可能領域の下側に前記表示許可範囲を規定し、前記表示許可範囲を上方に拡大させる表示制御プログラム。
【手続補正２】
【補正対象書類名】明細書
【補正対象項目名】０００６
【補正方法】変更
【補正の内容】
【０００６】
上記目的を達成するため、開示された一つの態様は、車両（Ａ）において用いられ、車両の乗員に視認される虚像（Ｖｉ）の表示を制御する表示制御装置であって、車両の走行経路（ＤＲ）を乗員に案内する案内表示物（１１）を生成する表示生成部（７３）と、案内表示物による経路案内が生じる案内ポイント（ＧＰ）までの残距離（Ｌｒ）を把握する距離把握部（５１）と、車両から案内ポイントまでの残距離が切替距離（Ｌ２）よりも長い場合に、特定の重畳対象には重畳されない非重畳虚像（１２）を案内表示物として表示させ、案内ポイントまでの残距離が切替距離よりも短くなると、特定の重畳対象に重畳される重畳虚像（１４）を表示させる表示制御部（５３）と、重畳虚像の表示を許容する表示許可範囲（ＵＡ）を、虚像を表示可能な表示可能領域（ＰＡ）の一部に制限する領域制限部（５２）と、を備え、領域制限部は、案内ポイントまでの残距離が短いほど表示許可範囲を大きく規定する表示制御装置とされる。
また開示された一つの態様は、車両（Ａ）において用いられ、車両の乗員に視認される虚像（Ｖｉ）の表示を制御する表示制御装置であって、車両の走行経路（ＤＲ）を乗員に案内する案内表示物（１１）を生成する表示生成部（７３）と、案内表示物による経路案内が生じる案内ポイント（ＧＰ）までの残距離（Ｌｒ）を把握する距離把握部（５１）と、車両から案内ポイントまでの残距離が切替距離（Ｌ２）よりも長い場合に、特定の重畳対象には重畳されない非重畳虚像（１２）を案内表示物として表示させ、案内ポイントまでの残距離が切替距離よりも短くなると、特定の重畳対象に重畳される重畳虚像（１４）を表示させる表示制御部（５３）と、重畳虚像の表示を許容する表示許可範囲（ＵＡ）を、虚像を表示可能な表示可能領域（ＰＡ）の一部に制限する領域制限部（５２）と、を備え、領域制限部は、表示可能領域の下側に表示許可範囲を規定し、表示許可範囲を上方に拡大させる表示制御装置とされる。
【手続補正３】
【補正対象書類名】明細書
【補正対象項目名】０００７
【補正方法】変更
【補正の内容】
【０００７】
また開示された一つの態様は、車両（Ａ）において用いられ、車両の乗員に視認される虚像（Ｖｉ）の表示を制御する表示制御プログラムであって、少なくとも一つの処理部（６１）を、車両の走行経路（ＤＲ）を乗員に案内する案内表示物（１１）を生成する表示生成部（７３）、案内表示物による経路案内が生じる案内ポイント（ＧＰ）までの残距離（Ｌｒ）を把握する距離把握部（５１）、車両から案内ポイントまでの残距離が切替距離（Ｌ２）よりも長い場合に、特定の重畳対象には重畳されない非重畳虚像（１２）を案内表示物として表示させ、案内ポイントまでの残距離が切替距離よりも短くなると、特定の重畳対象に重畳される重畳虚像（１４）を表示させる表示制御部（５３）、重畳虚像の表示を許容する表示許可範囲（ＵＡ）を、虚像を表示可能な表示可能領域（ＰＡ）の一部に制限する領域制限部（５２）、として機能させ、領域制限部は、案内ポイントまでの残距離が短いほど表示許可範囲を大きく規定する表示制御プログラムとされる。
また開示された一つの態様は、車両（Ａ）において用いられ、車両の乗員に視認される虚像（Ｖｉ）の表示を制御する表示制御プログラムであって、少なくとも一つの処理部（６１）を、車両の走行経路（ＤＲ）を乗員に案内する案内表示物（１１）を生成する表示生成部（７３）、案内表示物による経路案内が生じる案内ポイント（ＧＰ）までの残距離（Ｌｒ）を把握する距離把握部（５１）、車両から案内ポイントまでの残距離が切替距離（Ｌ２）よりも長い場合に、特定の重畳対象には重畳されない非重畳虚像（１２）を案内表示物として表示させ、案内ポイントまでの残距離が切替距離よりも短くなると、特定の重畳対象に重畳される重畳虚像（１４）を表示させる表示制御部（５３）、重畳虚像の表示を許容する表示許可範囲（ＵＡ）を、虚像を表示可能な表示可能領域（ＰＡ）の一部に制限する領域制限部（５２）、として機能させ、領域制限部は、表示可能領域の下側に表示許可範囲を規定し、表示許可範囲を上方に拡大させる表示制御プログラムとされる。